【手続補正書】
【提出日】平成19年7月2日(2007.7.2)
【手続補正１】
【補正対象書類名】特許請求の範囲
【補正対象項目名】全文
【補正方法】変更
【補正の内容】
【特許請求の範囲】
【請求項１】
ヨークプレートと、
前記ヨークプレートの上に並べられた複数個の磁石と、
前記ヨークプレートに対向する位置に、前記磁石と所定距離を隔てて配置されるカプラ部材と、
前記ヨークプレートに設けられ、前記カプラ部材を弾性支持する弾性体と、
前記カプラ部材の、前記磁石の各個に対応する位置にそれぞれ設けられるコイルとを備え、
前記カプラ部材は、前記磁石と対向する部分の周囲が膨出される膨出部を有し、
前記コイルは、前記膨出部に配置されていることを特徴とする振動ユニット。
【請求項２】
ヨークプレートと、
前記ヨークプレートの上に並べられた複数個の磁石と、
前記ヨークプレートに対向する位置に、前記磁石と所定距離を隔てて配置されるカプラ部材と、
前記ヨークプレートに設けられ、前記カプラ部材を弾性支持する弾性体と、
前記カプラ部材の、前記磁石の各個に対応する位置にそれぞれ設けられるコイルとを備え、
前記カプラ部材は、前記磁石と対向する部分に貫通孔が設けられており、
前記コイルは、前記貫通孔の周囲の部分に配置されていることを特徴とする振動ユニット。
【請求項３】
２枚のヨークプレートと、
前記２枚のヨークプレートがそれぞれ対向する面の上に並べられた複数個の磁石と、
前記２枚のヨークプレートの中間の位置に、前記磁石と所定距離を隔てて配置されるカプラ部材と、
前記２枚のヨークプレートに設けられ、前記カプラ部材を前記２枚のヨークプレートの中間部分に弾性支持する弾性体と、
前記カプラ部材の一方又は両方の面に設けられる、前記磁石の各個に対応する位置に設けられるコイルとを備え、
前記各コイルは、内側の捲線開始点が他のコイルの外側の捲線終了点に接続されるように直列に接続されることを特徴とする振動ユニット。
【請求項４】
振動板を更に有し、
前記カプラ部材は前記振動板に取り付けられることを特徴とする請求項１から３の何れか１項に記載の振動ユニット。
【請求項５】
前記ヨークプレート上に並べられた複数個の磁石は隣接する磁石の極性が互いに反対になるように並べられ、かつ前記コイルは隣接するコイルの辺同士には同じ向きの電流が流れるように設けられていることを特徴とする請求項１から４の何れか１項に記載の振動ユニット。
【請求項６】
前記ヨークプレート上に並べられた複数個の磁石は極性を揃えて並べられ、かつ、前記コイルは隣接するコイルの辺同士には異なる向きの電流が流れるように設けられていることを特徴とする請求項１から４の何れか１項に記載の振動ユニット。
【請求項７】
請求項１から６の何れか１項に記載の振動ユニットであって、
前記カプラ部材を弾性支持する弾性体が、前記ヨークプレートに固着される基部と、この基部から前記ヨークプレートの周囲に沿って延伸されたアーム部とから構成され、
前記カプラ部材は前記アーム部の先端部で弾性支持されることを特徴とする振動ユニット。
【請求項８】
請求項７に記載の振動ユニットであって、
前記アーム部の弾性係数を、前記アーム部に凹凸を付す、孔を開ける、アーム部に重量物を貼付するの少なくとも１つの方法によって変更することを特徴とする振動ユニット。
【請求項９】
請求項７または８に記載の振動ユニットであって、
前記カプラ部材と前記アーム部とが、取付部材とネジによって結合されることを特徴とする振動ユニット。
【請求項１０】
請求項９に記載の振動ユニットであって、
隣接する前記取付部材の間にリンク部材が掛け渡されており、このリンク部材と前記弾性体とを所定位置でクランプ部材で結合することにより、前記アーム部の弾性係数を変更することを特徴とする振動ユニット。
【請求項１１】
請求項１から６の何れか１項に記載の振動ユニットであって、
前記カプラ部材を弾性支持する弾性体が、前記ヨークプレートに固着される基部と、この基部から前記ヨークプレートの周囲に沿って延伸されたアーム部とから構成され、
前記カプラ部材は前記アーム部に対して先端部で結合されると共に、この先端部から所定距離離れた位置でも結合されて弾性支持されることを特徴とする振動ユニット。
【請求項１２】
請求項１から１１の何れか１項に記載の振動ユニットであって、前記巻回されたコイルの角部を円弧状に折り曲げたことを特徴とする振動ユニット。
【請求項１３】
請求項１から１２の何れか１項に記載の振動ユニットであって、
前記永久磁石はその磁化の向きに垂直な方向の断面が矩形であることを特徴とする振動ユニット。
【請求項１４】
請求項１から１３の何れか１項に記載の振動ユニットであって、
前記カプラ部材が、前記コイルに発生する熱を放熱する放熱構造を備えることを特徴とする振動ユニット。
【請求項１５】
請求項１４に記載の振動ユニットであって、
前記放熱構造が、前記カプラ部材の前記コイルの設置面の反対側の面に取り付けられたヒートシンクであることを特徴とする振動ユニット。
【請求項１６】
請求項１から１５の何れか１項に記載の振動ユニットの、前記カプラ部材に振動板が直接、或いは振動伝達部材を介して、取り付けられたことを特徴とする前記振動ユニットを用いた薄型スピーカ。
【請求項１７】
請求項１に記載の振動ユニットの、前記カプラ部材が振動板によって置換され、振動板が前記振動ユニットによって直接駆動されることを特徴とする前記振動ユニットを用いた薄型スピーカ。
【請求項１８】
請求項１７に記載の振動ユニットを用いた薄型スピーカであって、
前記コイルが前記振動板の中に埋め込まれていることを特徴とする前記振動ユニットを用いた薄型スピーカ。
【手続補正２】
【補正対象書類名】明細書
【補正対象項目名】発明の名称
【補正方法】変更
【補正の内容】
【発明の名称】振動ユニット及びこのユニットを用いた薄型スピーカ
【手続補正３】
【補正対象書類名】明細書
【補正対象項目名】０００１
【補正方法】変更
【補正の内容】
【０００１】
本発明は振動ユニット及びこのユニットを用いた薄型スピーカに関し、特に、振動板に取り付けることによりこの振動板をスピーカの振動板として機能させることができる薄型の振動ユニット、及びこのユニットを用いた薄型スピーカに関する。
【手続補正４】
【補正対象書類名】明細書
【補正対象項目名】００１５
【補正方法】変更
【補正の内容】
【００１５】
そこで、本発明は、磁気回路を構成するヨークと永久磁石の配置、及びボイスコイルを構成する各ワイヤの並びを変更して厚さを小さくし、且つボビンを無くすことにより、全体の厚さを更に低減することができる振動ユニットを提供することを目的としている。
【手続補正５】
【補正対象書類名】明細書
【補正対象項目名】００１６
【補正方法】変更
【補正の内容】
【００１６】
前記目的を達成する本発明の振動ユニットは、以下の第１から第３の形態を撮ることができる。
【手続補正６】
【補正対象書類名】明細書
【補正対象項目名】００１７
【補正方法】変更
【補正の内容】
【００１７】
第１の形態の振動ユニットは、ヨークプレートと、ヨークプレートの上に並べられた複数個の磁石と、ヨークプレートに対向する位置に、磁石と所定距離を隔てて配置されるカプラ部材と、ヨークプレートに設けられ、カプラ部材を弾性支持する弾性体と、カプラ部材の、磁石の各個に対応する位置にそれぞれ設けられるコイルとを備え、カプラ部材は、磁石と対向する部分の周囲が膨出される膨出部を有し、コイルは、膨出部に配置されていることを特徴とするものである。
【手続補正７】
【補正対象書類名】明細書
【補正対象項目名】００１８
【補正方法】変更
【補正の内容】
【００１８】
第２の形態の振動ユニットは、ヨークプレートと、ヨークプレートの上に並べられた複数個の磁石と、ヨークプレートに対向する位置に、磁石と所定距離を隔てて配置されるカプラ部材と、ヨークプレートに設けられ、カプラ部材を弾性支持する弾性体と、カプラ部材の、磁石の各個に対応する位置にそれぞれ設けられるコイルとを備え、カプラ部材は、磁石と対向する部分に貫通孔が設けられており、コイルは、貫通孔の周囲の部分に配置されていることを特徴とするものである。
【手続補正８】
【補正対象書類名】明細書
【補正対象項目名】００１９
【補正方法】変更
【補正の内容】
【００１９】
第３の形態の振動ユニットは、２枚のヨークプレートと、２枚のヨークプレートがそれぞれ対向する面の上に並べられた複数個の磁石と、２枚のヨークプレートの中間の位置に、磁石と所定距離を隔てて配置されるカプラ部材と、２枚のヨークプレートに設けられ、カプラ部材を２枚のヨークプレートの中間部分に弾性支持する弾性体と、カプラ部材の一方又は両方の面に設けられる、磁石の各個に対応する位置に設けられるコイルとを備え、各コイルは、内側の捲線開始点が他のコイルの外側の捲線終了点に接続されるように直列に接続されることを特徴とするものである。
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】削除
【補正の内容】
【手続補正２０】
【補正対象書類名】明細書
【補正対象項目名】００３１
【補正方法】削除
【補正の内容】
【手続補正２１】
【補正対象書類名】明細書
【補正対象項目名】００３２
【補正方法】削除
【補正の内容】
【手続補正２２】
【補正対象書類名】明細書
【補正対象項目名】００３３
【補正方法】削除
【補正の内容】
【手続補正２３】
【補正対象書類名】明細書
【補正対象項目名】００３４
【補正方法】削除
【補正の内容】
【手続補正２４】
【補正対象書類名】明細書
【補正対象項目名】００３５
【補正方法】削除
【補正の内容】
【手続補正２５】
【補正対象書類名】明細書
【補正対象項目名】００３６
【補正方法】削除
【補正の内容】
【手続補正２６】
【補正対象書類名】明細書
【補正対象項目名】００３７
【補正方法】変更
【補正の内容】
【００３７】
また、本発明の振動ユニットを用いた薄型スピーカは、振動ユニットにおいて、カプラ部材に直接、或いは振動伝達部材を介して、振動板が取り付けられたことを特徴とするものである。
【手続補正２７】
【補正対象書類名】明細書
【補正対象項目名】００３８
【補正方法】変更
【補正の内容】
【００３８】
更に、本発明の振動ユニットを用いた薄型スピーカは、振動ユニットの、カプラ部材が振動板によって置換され、振動板が振動ユニットによって直接駆動されることを特徴とするものである。この場合、コイルが振動板の中に埋め込まれていても良い。
【手続補正２８】
【補正対象書類名】明細書
【補正対象項目名】００３９
【補正方法】変更
【補正の内容】
【００３９】
第１の形態の振動ユニットによれば、以下のような効果がある。
（１）振動ユニットの厚みを薄くすることができる。
（２）効果的に磁束密度を利用することができるので、駆動力を増大することができる。
（３）振動板の軽量化を図ることができ、音圧が増大する。
（４）磁束密度の有効利用による駆動力の増大を図ることができる。
（５）磁気回路の数を増やしたので、効率的な磁束の利用が図れ、駆動力を増大させることができる。
【手続補正２９】
【補正対象書類名】明細書
【補正対象項目名】００４０
【補正方法】変更
【補正の内容】
【００４０】
（６）カプラ部材を安定に弾性支持することができる。
（７）振動板の周波数特性及び最低限界周波数を制御することができる。
（８）カプラ部材とアーム部とを強固に結合することができる。
（９）振動板の周波数特性及び最低限界周波数を制御することができる。
（１０）効率的に磁束を利用でき、駆動力を増大させることができる。
（１１）カプラ部材の放熱構造によりコイルに発生するジュール熱を効率的に放熱することができるので、耐入力を向上させることができる。
（１２）駆動部と可動部との最適な重量比率により、音圧を増大させることができる。
【手続補正３０】
【補正対象書類名】明細書
【補正対象項目名】００４１
【補正方法】削除
【補正の内容】
【手続補正３１】
【補正対象書類名】明細書
【補正対象項目名】００４２
【補正方法】削除
【補正の内容】
【手続補正３２】
【補正対象書類名】明細書
【補正対象項目名】００４３
【補正方法】削除
【補正の内容】
【手続補正３３】
【補正対象書類名】明細書
【補正対象項目名】００４４
【補正方法】削除
【補正の内容】
【手続補正３４】
【補正対象書類名】明細書
【補正対象項目名】００４５
【補正方法】削除
【補正の内容】
【手続補正３５】
【補正対象書類名】明細書
【補正対象項目名】００４６
【補正方法】削除
【補正の内容】
【手続補正３６】
【補正対象書類名】明細書
【補正対象項目名】００４７
【補正方法】削除
【補正の内容】
【手続補正３７】
【補正対象書類名】明細書
【補正対象項目名】００４８
【補正方法】削除
【補正の内容】
【手続補正３８】
【補正対象書類名】明細書
【補正対象項目名】００４９
【補正方法】削除
【補正の内容】
【手続補正３９】
【補正対象書類名】明細書
【補正対象項目名】００５０
【補正方法】削除
【補正の内容】
【手続補正４０】
【補正対象書類名】明細書
【補正対象項目名】００５１
【補正方法】変更
【補正の内容】
【００５１】
本発明の振動ユニットを用いた薄型スピーカは、スピーカの薄型化を図ることができる。